(57)【要約】【課題】良好な絶縁性を得ることができるとともに、信号がオンからオフに切り替わる場合およびオフからオンに切り替わる場合の双方において同等且つ迅速な応答性を得ることができる絶縁型信号伝達装置、電子機器２０を提供する。【解決手段】実施形態の電子機器２０に設けられている絶縁回路１（絶縁型信号伝達装置）は、第１の抵抗素子３、第２の抵抗素子４、第１の抵抗素子３に対応して設けられている第１の熱流センサ５、第２の抵抗素子４に対応して設けられている第２の熱流センサ６、常時発熱している熱源抵抗素子９（熱源）、第１の熱流センサ５の出力に応じた判定結果を出力する第１の判定回路７、第２の熱流センサ６の出力に応じた判定結果を出力する第２の判定回路８、を備え、第１の熱流センサ５と第２の熱流センサ６は、熱流の検出方向が互いに逆向きとなるように配置されている。【選択図】図１
2019106615.tif 000002
【特許請求の範囲】
【請求項１】
入力信号の伝達経路に直列に接続されている第１の抵抗素子および第２の抵抗素子と、
前記第１の抵抗素子に対応して設けられ、当該第１の抵抗素子の発熱状態に起因して自身に流れる熱流を検出する第１の熱流センサと、
前記第２の抵抗素子に対応して設けられ、当該第２の抵抗素子の発熱状態に起因して自身に流れる熱流を検出する第２の熱流センサと、
常時発熱しており、前記第２の熱流センサを挟んで前記第２の抵抗素子とは逆側に配置されている熱源と、
１つの基準電圧を出力する基準電圧回路と、
前記第１の熱流センサの出力と前記基準電圧回路から出力された前記基準電圧とを比較することにより、入力された入力信号のオン／オフを判定してその判定結果を出力する第１の判定回路と、
前記第２の熱流センサの出力と前記第１の熱流センサと同じ前記基準電圧とを比較することにより、入力された入力信号のオン／オフを判定してその判定結果を出力する第２の判定回路と、
を備え、
前記第１の熱流センサは、熱流の検出方向が前記第１の抵抗素子から自身への向きとなるように配置され、
前記第２の熱流センサは、熱流の検出方向が自身から前記第２の抵抗素子への向きとなるように配置されていることを特徴とする絶縁型信号伝達装置。
【請求項２】
前記第１の抵抗素子および前記第２の抵抗素子は、少なくとも一方が基板内に埋め込まれていることを特徴とする請求項１記載の絶縁型信号伝達装置。
【請求項３】
前記第１の熱流センサおよび前記第２の熱流センサは、少なくとも一方が基板内に配置されていることを特徴とする請求項１または２記載の絶縁型信号伝達装置。
【請求項４】
前記第１の抵抗素子および前記第２の抵抗素子は、単一の抵抗素子を兼用する構成であることを特徴とする請求項１から３のいずれか一項記載の絶縁型信号伝達装置。
【請求項５】
前記第１の熱流センサを挟んで前記第１の抵抗素子とは逆側になる位置に、金属部材を配置したことを特徴とする請求項１から４のいずれか一項記載の絶縁型信号伝達装置。
【請求項６】
請求項１から５のいずれか一項に記載した絶縁型信号伝達装置を備えることを特徴とする電子機器。
【発明の詳細な説明】
【技術分野】
【０００１】
本発明は、信号を絶縁して伝達する絶縁型信号伝達装置、電子機器に関する。
【背景技術】
【０００２】
従来、例えばプログラマブルロジックコントローラ（以下、ＰＬＣと称する）等の産業用機器を筆頭に多くの電子機器では、スイッチやセンサ等の外部機器から与えられた信号を電気的に絶縁した後に内部回路に伝達する絶縁型信号伝達装置を備えているものがある。例えば特許文献１では、フォトカプラで構成された絶縁型信号伝達装置が開示されている。
【先行技術文献】
【特許文献】
【０００３】
【特許文献１】特開２００７−１８１０３４号公報
【発明の概要】
【発明が解決しようとする課題】
【０００４】
さて、絶縁型信号伝達装置では、電気的な絶縁性も重要であるものの、例えばＰＬＣ等の産業用機器の場合には異常の発生や緊急停止等を通知するための信号が入力されることが想定されるため、入力信号に対する応答性も重要になってくる。
【０００５】
しかしながら、入力信号が例えばオン／オフが切り替わる信号であった場合、オフからオンに切り替わることにより例えば異常の発生を通知する信号もあれば、オンからオフに切り替わることで例えば緊急停止を通知する信号も存在する。そのため、絶縁型信号伝達装置には、入力信号がオフからオンに切り替わる場合であってもオンからオフに切り替わる場合であっても同等且つ迅速に応答することが求められる。
【０００６】
本発明は、上記事情に鑑みてなされたものであり、その目的は、良好な絶縁性を得ることができるとともに、信号がオンからオフに切り替わる場合およびオフからオンに切り替わる場合の双方において同等且つ迅速な応答性を得ることができる絶縁型信号伝達装置、電子機器を提供することにある。
【課題を解決するための手段】
【０００７】
請求項１に記載した絶縁型信号伝達装置は、入力信号の伝達経路に直列に接続されている第１の抵抗素子および第２の抵抗素子と、第１の抵抗素子に対応して設けられ、当該第１の抵抗素子の発熱状態に起因して自身に流れる熱流を検出する第１の熱流センサと、第２の抵抗素子に対応して設けられ、当該第２の抵抗素子の発熱状態に起因して自身に流れる熱流を検出する第２の熱流センサと、を備えている。
【０００８】
つまり、絶縁型信号伝達装置は、入力信号の伝達に熱を利用している。これにより、絶縁型信号伝達装置の入力側と出力側とが電気的に絶縁され、絶縁性を確保することができる。
【０００９】
そして、絶縁型信号伝達装置では、第２の熱流センサを挟んで第２の抵抗素子とは逆側に常時発熱している熱源が設けられており、第１の熱流センサは、熱流の検出方向が第１の抵抗素子から自身への向きとなるように配置され、第２の熱流センサは、熱流の検出方向が自身から第２の抵抗素子への向きとなるように配置されている。
【００１０】
そのため、第１の熱流センサは、入力信号がオンになると熱流を検出して出力する一方、第２の熱流センサは、入力信号がオフになると熱流を検出して出力することになる。換言すると、第１の熱流センサは、入力信号がオンに切り替わるときに出力が開始され、第２の熱流センサは、入力信号がオフに切り替わるときに出力が開始される。
【００１１】
このため、熱流センサの開始を迅速に特定できるように判定値つまりは基準電圧回路が出力する基準電圧を設定すれば、つまりは、熱流センサの出力範囲の下限側に寄せて判定値を設定すれば、第１の判定回路によって入力信号がオフからオンに切り替わったことを迅速に検出でき、第２の判定回路によって入力信号がオンからオフに切り替わったことを迅速に検出できるようになる。すなわち、高い精度が要求される基準電圧回路が１つであっても、入力信号のオフからオンへの切り替わりとオンからオフへの切り替わりとを迅速に検出することができる。
【００１２】
また、入力信号がオンに切り替わるとき、および、入力信号がオフに切り替わるときのそれぞれにおいて、同じ応答性を示すようにすることができる。また、基準電圧回路は１つでよいため、コストや設置スペースの増加を抑制することもできる。
したがって、良好な絶縁性を得ることができるとともに、信号がオンからオフに切り替わる場合およびオフからオンに切り替わる場合の双方において同等且つ迅速な応答性を得ることができる。
【００１３】
請求項２に記載した発明では、第１の抵抗素子および第２の抵抗素子は、少なくとも一方が基板内に埋め込まれている。これにより、基板の表面に必要となるスペースを削減でき、小型化を図ることができる。
【００１４】
請求項３に記載した発明では、第１の熱流センサおよび第２の熱流センサは、少なくとも一方が基板内に配置されている。これにより、基板の表面に必要となるスペースを削減でき、小型化を図ることができる。
【００１５】
請求項４に記載した発明では、第１の抵抗素子および第２の抵抗素子は、単一の抵抗素子を兼用する構成である。これにより、部品点数の削減と必要となるスペースの削減とを両立させることができる。
【００１６】
請求項５に記載した発明では、第１の熱流センサを挟んで第１の抵抗素子とは逆側になる位置に、金属部材を配置した。これにより、第１の抵抗素子から第１の熱流センサへの向きの熱の移動を促進でき、第１の熱流センサの応答性を改善することができる。
【００１７】
請求項６に記載した電子機器の発明では、上記した絶縁型信号伝達装置を備えている。このような電子機器によっても、良好な絶縁性を得ることができるとともに、信号がオンからオフに切り替わる場合およびオフからオンに切り替わる場合の双方において同等且つ迅速な応答性を得ることができる。
【図面の簡単な説明】
【００１８】
【図１】実施形態による絶縁型信号伝達装置の電気的構成を模式的に示す図
【図２】比較例であり、熱流センサと判定回路の出力態様を模式的に示す図
【図３】実施例であり、熱流センサと判定回路の出力態様を模式的に示す図
【図４】絶縁型信号伝達装置の配置態様の一例を模式的に示す図その１
【図５】絶縁型信号伝達装置の配置態様の一例を模式的に示す図その２
【図６】絶縁型信号伝達装置の配置態様の一例を模式的に示す図その３
【発明を実施するための形態】
【００１９】
以下、実施形態について、図面を参照しながら説明する。
図１に示すように、本実施形態の絶縁型信号伝達装置（以下、便宜的に絶縁回路１と称する）は、基板２に配置されている第１の抵抗素子３、第２の抵抗素子４、第１の熱流センサ５、第２の熱流センサ６、第１の判定回路７、第２の判定回路８、熱源抵抗素子９を備えている。
【００２０】
第１の抵抗素子３および第２の抵抗素子４は、外部装置１０から入力される入力信号（ＩＮＰＵＴ）の伝達経路１１に互いに直列に接続されている。そして、第１の抵抗素子３および第２の抵抗素子４は、入力信号の状態に応じて、つまりは、入力信号に応じた電流が流れることにより発熱する。このとき、入力信号は、図１に示すように例えば端子（ＩＮ＋、ＩＮ−）を介して入力される。
【００２１】
より詳細には、本実施形態では入力信号としてオン／オフが切り替わる信号を想定しており、第１の抵抗素子３および第２の抵抗素子４は、入力信号がオンになると発熱し、オフになると発熱しなくなる。なお、第１の抵抗素子３、第２の抵抗素子４、および後述する熱源抵抗素子９は、仕様が同じ抵抗素子を用いることができる。
【００２２】
第１の熱流センサ５は、例えば樹脂材料により薄い長方形のフィルム状に形成されている。この第１の熱流センサ５は、内部に異なる種類の金属が互いに接続されて配置されており、例えば厚み方向への熱流が生じると、表面と裏面とで温度差が生じ、ゼーベック効果によってその温度差を電圧に変換して出力する。つまり、第１の熱流センサ５は、自身を流れる熱流によって生じた温度差に応じた電圧を出力する。
【００２３】
第１の熱流センサ５は、第１の抵抗素子３に対応して、つまりは、第１の抵抗素子３とは物理的に分離された状態であって第１の抵抗素子３と隣り合う近傍に位置して配置されており、第１の抵抗素子３の発熱状態に起因して自身に流れる熱流を検出する。このとき、第１の熱流センサ５は、図１に矢印Ｆにて示す熱流の検出方向が、第１の抵抗素子３から自身への向きとなるように配置されている。以下、第１の熱流センサ５の出力を、ＳｏｕｔＡと称する。
【００２４】
第２の熱流センサ６は、第１の熱流センサ５と共通の仕様のものであり、第２の抵抗素子４に対応して、つまりは、第２の抵抗素子４とは物理的に分離された状態であって第２の抵抗素子４と隣り合う近傍に位置して配置されており、第２の抵抗素子４の発熱状態に起因して自身に流れる熱流を検出する。このとき、第２の熱流センサ６は、図２に矢印Ｆにて示す熱流の検出方向が、自身から第２の抵抗素子４への向きとなるように配置されている。以下、第２の熱流センサ６の出力を、ＳｏｕｔＢと称する。
【００２５】
第１の判定回路７は、いわゆるコンパレータ回路として構成されており、第１の熱流センサ５の出力（ＳｏｕｔＡ）を予め設定されている判定値（Ｔｈ１。図３参照）と比較することにより、入力信号のオン／オフを判定してその判定結果を出力する。本実施形態では、判定値（Ｔｈ１）は、１つの基準電源回路１２から高精度に出力される基準電圧（Ｖｒｅｆ）を採用している。
【００２６】
そのため、第１の判定回路７の出力信号（ＨｏｕｔＡ）は、第１の熱流センサ５の出力（ＳｏｕｔＡ）が基準電圧以上であればハイレベルとなり、基準電圧未満であればローレベルになる。つまり、第１の判定回路７は、入力信号がオンになるとハイレベル、オフになるとローレベルの信号を出力する。
【００２７】
第２の判定回路８は、コンパレータ回路として構成されており、第２の熱流センサ６の出力（ＳｏｕｔＢ）を、第１の熱流センサ５と共通の判定値（Ｔｈ１）と比較することにより、入力信号のオン／オフを判定してその判定結果を出力する。より詳細には、第２の判定回路８の出力信号（ＨｏｕｔＢ）は、第２の熱流センサ６の出力（ＳｏｕｔＢ）が基準電圧（Ｖｒｅｆ）以上であればハイレベルとなり、基準電圧未満であるとローレベルとなる。
【００２８】
ただし、第２の熱流センサ６を挟んで第２の抵抗素子４とは逆側となる位置には、熱源抵抗素子９が配置されている。この熱源抵抗素子９は、直流電源１３に接続されており、入力信号がオンの状態の第２の抵抗素子４と同じ熱量で常時発熱している。そのため、第２の熱流センサ６には、入力信号がオンになった状態では熱流が生じず、入力信号がオフになると熱流が生じることになる。
【００２９】
つまり、第２の熱流センサ６では第１の熱流センサ５とは逆に入力信号がオフになった場合に熱流が検出されることから、第２の判定回路８は、入力信号がオンになるとローレベル、オフになるとハイレベルの信号を出力する。
【００３０】
このような構成の絶縁回路１は、図１では１回路を示しているが、基板２に複数回路が実装されている。この基板２は、例えばガラスエポキシなどの絶縁材料によって、一般的に概ね１．６ｍｍ程度の厚みに形成されている。そのため、基板２は、その内部に熱が伝達し易い構造となっている。この基板２は、図示しないマイクロコンピュータ等の制御回路も実装されており、例えばＰＬＣ等の電子機器２０に用いられる。
【００３１】
次に上記した絶縁回路１の作用について説明する。
前述のように、絶縁回路１では電気的な絶縁性も重要であるものの、例えばＰＬＣ等の産業用機器の場合には、異常の発生や緊急停止等を通知するための信号が入力されることが想定されるため、入力信号に対する応答性も重要になってくる。この点、入力信号に応じて発熱する抵抗素子と、熱流センサと、熱流センサの出力を判定する判定回路とを備えることにより、電気的な絶縁性を確保することが可能になると考えられる。
【００３２】
その一方で、図２に比較例として示すように、熱流センサの出力（Ｓｏｕｔ）は、熱流が生じたことには迅速に反応して立ち上がるものの、出力が上限あるいは下限に近づくにつれてなだらかになる傾向を示す。そのため、判定値（Ｔｈ０）を熱流センサの出力の下限側に寄せた場合には、応答時間（Ｔｏｎ）は改善できるものの、応答時間（Ｔｏｆｆ）は悪化してしまう。逆に、判定値（Ｔｈ０）を熱流センサの出力の上限側に寄せると、応答時間（Ｔｏｆｆ）は改善できるものの、応答時間（Ｔｏｎ）は悪化してしまう。
【００３３】
また、産業用機器では、汎用性を高めるために、信号の立ち下がりと立ち下がりの双方に対応できる出力の中央付近に判定値（Ｔｈ０）を設定すると考えられることから、熱流センサの出力を１つの判定値（Ｔｈ０）を用いて判定しようとする場合には、入力信号（ＩＮＰＵＴ）がオフからオンに切り替わるときの判定回路の出力（Ｈｏｕｔ）の応答時間（Ｔｏｎ）と、入力信号がオンからオフに切り替わるときの応答時間（Ｔｏｆｆ）とを共に改善することが困難になる。
【００３４】
そこで、絶縁回路１では、入力信号がオフからオンに切り替わるとき、および、入力信号がオンからオフに切り替わるときの双方の応答性を向上させるために、第１の熱流センサ５と第２熱流センサとを設けている。また、絶縁回路１では、熱流の検出方向が逆むきになるように第１の熱流センサ５と第２熱流センサとを配置するとともに、第２の熱流センサ６に対応させて熱源抵抗素子９を設け、共通の判定値（Ｔｈ１）を用いて第１の熱流センサ５の出力と第２の熱流センサ６の出力とを判定する。
【００３５】
このとき、判定値（Ｔｈ１）は、図３に示すように、熱流センサの出力範囲のうち下限側に寄せて設定されている。そのため、入力信号（ＩＮＰＵＴ）がオンからオフに切り替わったときには、第１の熱流センサ５の出力（ＳｏｕｔＡ）は、判定値（Ｔｈ１）がオフ状態での出力に近い値であることから、第１の判定回路７の出力（ＨｏｕｔＡ）は、入力信号がオンに切り替わったことに迅速に対応して出力される。
【００３６】
これにより、まず、第１の判定回路７の応答時間（ＴｏｎＡ）すなわち入力信号がオフからオンに切り替わったことが出力されるまでの応答時間を、上記した図２に示した中央付近に判定値（Ｔｈ０）を設定した場合の応答時間（Ｔｏｎ）に比べて改善することができる。
【００３７】
ただし、第１の判定回路７については、入力信号がオンからオフに切り替わるときの応答時間（ＴｏｆｆＡ）は、中央付近に判定値（Ｔｈ０）を設定した場合の応答時間（Ｔｏｆｆ）に比べて悪化することになる。
【００３８】
これに対して、第２の熱流センサ６は、第１の熱流センサ５とは検出方向が逆向きに配置されており且つ、熱源抵抗素子９が設けられていることから、入力信号（ＩＮＰＵＴ）のオン／オフに対する極性が第１の熱流センサ５とは逆になっている。そのため、第２の熱流センサ６の出力（ＳｏｕｔＢ）を第１の熱流センサ５と共通する判定値（Ｔｈ１）で判定する場合には、第２の判定回路８の出力（ＨｏｕｔＢ）は、入力信号がオンからオフに切り替わるときに迅速な応答性を示すことになる。
【００３９】
すなわち、入力信号がオンからオフに切り替わるとき、つまりは、第２の判定回路８の出力（ＨｏｕｔＢ）がオフからオンに切り替わるときの応答時間（ＴｏｎＢ）は、上記した第１の判定回路７による応答時間（ＴｏｆｆＡ）並びに中央付近に判定値（Ｔｈ０）を設定した場合の応答時間（Ｔｏｆｆ）に比べて短くなる。換言すると、第２の熱流センサ６を設けることにより、入力信号がオンからオフに切り替わるときの応答性を改善することができる。
【００４０】
このように、絶縁回路１は、絶縁性を確保しつつ、入力信号がオフからオンに切り替わるときの応答性と、オンからオフに切り替わるときの応答性との双方を改善している。
以上説明した構成によれば、次のような効果を得ることができる。
【００４１】
絶縁回路１は、信号の伝達経路１１に直列に接続されている第１の抵抗素子３および第２の抵抗素子４と、第１の抵抗素子３に対応して設けられ、第１の抵抗素子３の発熱状態に起因して自身に流れる熱流を検出する第１の熱流センサ５と、第２の抵抗素子４に対応して設けられ、第２の抵抗素子４の発熱状態に起因して自身に流れる熱流を検出する第２の熱流センサ６とを備えている。
【００４２】
そして、絶縁回路１は、第１の熱流センサ５の出力を予め設定されている判定値と比較することにより入力された信号のオン／オフを判定してその判定結果を出力する第１の判定回路７と、第２の熱流センサ６の出力を第１の熱流センサ５と同じ判定値と比較することにより入力された信号のオン／オフを判定してその判定結果を出力する第２の判定回路８と、を備えている。
【００４３】
つまり、絶縁回路１は、熱流や熱伝導によって、電気的な絶縁性を確保している。これにより、良好な絶縁性を確保することができる。
【００４４】
また、絶縁回路１では、第２の熱流センサ６を挟んで第２の抵抗素子４とは逆側に配置されている熱源を設け、第１の熱流センサ５を熱流の検出方向が第１の抵抗素子３から自身への向きとなるように配置し、第２の熱流センサ６を熱流の検出方向が自身から第２の抵抗素子４への向きとなるように配置している。
【００４５】
これにより、第１の熱流センサ５と第２の熱流センサ６の出力（ＳｏｕｔＡ、ＳｏｕｔＢ）は、入力信号のオン／オフの切り替わりに対する極性が逆になり、共通の判定値（Ｔｈ１）を用いて判定する場合であっても、入力信号がオンからオフに切り替わる際の応答性と、オンからオフに切り替わる際の応答性を共に改善することができる。つまり、基準電圧回路１２から１の基準電圧を出力することにより、換言すると、高い精度が要求される基準電圧回路が１つであっても、入力信号のオフからオンへの切り替わりとオンからオフへの切り替わりとを迅速に検出することができる。
【００４６】
したがって、良好な絶縁性を得ることができるとともに、信号がオンからオフに切り替わる場合およびオフからオンに切り替わる場合の双方において同等の性能且つ改善された応答性を得ることができる。
【００４７】
この場合、基準電圧回路は１つでよいため、高精度の部材を複数用いることによるコストの増加やスペースの増加を抑制することができる。これは、基板２に複数の絶縁回路１を実装すると予想される電子機器２０において、特に有意になる。
【００４８】
また、このような絶縁回路１を備える電子機器２０によっても、良好な絶縁性を得ることができるとともに、信号がオンからオフに切り替わる場合およびオフからオンに切り替わる場合の双方において同等の性能且つ改善された応答性を得ることができる。
【００４９】
ところで、第１の抵抗素子３、第２の抵抗素子４、熱源抵抗素子９、第１の熱流センサ５および第２の熱流センサ６等の部材は、例えば図４に示すように互いに隣り合うように配置することができる。なお、図４および後述する図５、図６では、説明の簡略化のために判定回路等の図示を省略している。
【００５０】
ただし、ＰＬＣ等の電子機器２０では、小型化が求められることがある。このとき、第１の熱流センサ５や第２の熱流センサ６は、上記したように薄く形成されている。また、基板２は、いわゆる多層基板のように内部に部材を配置させることができる。この場合、第１の抵抗素子３や第２の抵抗素子４あるいは熱源抵抗素子９等も配置させることができる。
【００５１】
そのため、図４に示す第１の抵抗素子３、第２の抵抗素子４、熱源抵抗素子９、第１の熱流センサ５および第２の熱流センサ６等の部材のうち、全ての素子あるいは一部の素子を、基板２の内部に配置することができる。これにより、基板２の表面あるいは裏面において必要になるスペースを削減でき、電子機器２０の小型化を図ることができる。
【００５２】
例えば、図５に示すように、第１の熱流センサ５と第２の熱流センサ６を基板２内に埋め込み、第１の抵抗素子３、第２の抵抗素子４、熱源抵抗素子９を基板２の表面や裏面に配置することができる。このとき、第１の熱流センサ５を挟んで第１の抵抗素子３とは逆側に、金属部材２１を配置することもできる。この場合、金属部材２１は、いわゆるベタパターンと称される配線パターンを採用することができる。これにより、第１の抵抗素子３から第１の熱流センサ５への熱流を相対的に大きくでき、応答性の向上を図ることができる。
【００５３】
あるいは、図６に示すように、第１の抵抗素子３と第２の抵抗素子４とを単一の抵抗素子で構成した共通抵抗素子２２で兼用することもできる。具体的には、基板２の表面に共通抵抗素子２２を設け、表面で隣り合うように第１の熱流センサ５を配置し、共通抵抗素子２２の下方の基板２内に第２の熱流センサ６を配置し、基板２の裏面側に熱源抵抗素子９を配置する構成とすることができる。これにより、部材の削減とスペースの削減とを両立させることができる。
【００５４】
また、実施形態ではオン／オフが切り替わる信号が入力される例を示したが、絶縁回路１は、オン／オフが頻繁に繰り返されるパルス信号に適用することもできるし、連続的に変化するいわゆるアナログ信号に適用することもできる。また、絶縁回路１は、交流信号が入力されている状態をオン、交流信号が入力されていない状態をオフとすることにより、交流信号にも適用することができる。つまり、絶縁回路１は、直流−直流変換装置や交流−直流変換装置にも適用することができる。
【符号の説明】
【００５５】
図面中、１は絶縁回路（絶縁型信号伝達装置）、２は基板、３は第１の抵抗素子、４は第２の抵抗素子、５は第１の熱流センサ、６は第２の熱流センサ、７は第１の判定回路、８は第２の判定回路、９は熱源抵抗素子（熱源）、１１は伝達経路、１２は基準電源回路、２０は電子機器、２１は金属部材、２２は共通抵抗素子（第１の抵抗素子および第２の抵抗素子）を示す。
【図１】
2019106615.tif 000003
【図２】
2019106615.tif 000004
【図３】
2019106615.tif 000005
【図４】
2019106615.tif 000006
【図５】
2019106615.tif 000007
【図６】
2019106615.tif 000008